(57)【要約】【課題】作製過程で失敗を生じた場合でも簡単にやり直しができ、出来上がりの達成感や出来上がったものを鑑賞することによる充足感を与えることが可能な観賞用物品を提供する。【解決手段】観賞用物品１０は、ベースプレート１１と、ベースプレート１１に着脱可能に取り付け可能なフレイムプレート１２と、ベースプレート１１とフレイムプレート１２との間に着脱可能に挟み込み可能なピクチャーシート１３とを備えている。フレイムプレート１２は、ベースプレート１１とフレイムプレート１２との間にピクチャーシート１３を挟み込んだ状態で、フレイムプレート１２の外部からピクチャーシート１３に設けられているピクチャー１３ｂの少なくとも一部を目視できるようにするための露出孔１２ａ１を有している。【選択図】図１
2017124236.tif 000002
【特許請求の範囲】
【請求項１】
ベース部材と、前記ベース部材に着脱可能なフレイム部材と、前記ベース部材と前記フレイム部材との間に着脱可能に挟み込み可能なピクチャー部材とを備え、
前記フレイム部材は、前記ベース部材と前記フレイム部材との間に前記ピクチャー部材を挟み込んだ状態で、前記フレイム部材の外部から前記ピクチャー部材に設けられている絵柄の少なくとも一部を目視できるようにするための露出孔を有する観賞用物品。
【請求項２】
請求項１において、
前記露出孔は前記フレイム部材に設けられた複数個の貫通孔から成り、前記ピクチャー部材における前記複数個の貫通孔に対応した部分が前記フレイムプレートの外部から目視できるように構成されている観賞用物品。
【請求項３】
請求項１又は請求項２において、
前記フレイム部材は、壁部を周囲に有し、前記ベース部材が該フレイム部材の壁部の内側に着脱可能に嵌め込めるように構成されている観賞用物品。
【請求項４】
請求項１乃至請求項３のいずれか一項において、
前記ベース部材と前記フレイム部材の一方は、複数個の凹部を周囲に有し、
前記ベース部材と前記フレイム部材の他方は、前記複数個の凹部それぞれに着脱可能に嵌め込まれる複数個の凸部を外周に有する観賞用物品。
【請求項５】
請求項１乃至請求項４のいずれか一項において、
組み立て後の前記観賞用物品を吊り下げ状態で設置するために該観賞用物品に着脱可能に取り付け可能な吊り下げ用部品をさらに備える観賞用物品。
【請求項６】
請求項５において、
前記吊り下げ用部品は、前記ベース部材と前記フレイム部材の少なくとも一方に着脱可能に嵌め込まれる複数個の嵌め込み部を有する観賞用物品。
【請求項７】
請求項５又は請求項６において、
前記吊り下げ用部品は、細長い貫通孔が設けられた薄板部を有する観賞用物品。
【請求項８】
請求項１乃至請求項４のいずれか一項において、
組み立て後の前記観賞用物品を起立状態で設置するために該観賞用物品に着脱可能に取り付け可能な起立用部品をさらに備える観賞用物品。
【請求項９】
請求項８において、
前記起立用部品は、被差し込み部を有する台座部品と、前記台座部品の被差し込み部に着脱可能に差し込まれる差し込み部を有し、且つ、組み立て後の前記観賞用物品を着脱可能に取り付けるための部位を有する支柱部品とを備える観賞用物品。
【請求項１０】
請求項９において、
前記台座部品は、請求項５乃至請求項７の何れか１項に記載した吊り下げ用部品と共用の部品である観賞用物品。
【請求項１１】
請求項１乃至請求項４のいずれか一項において、
組み立て後の前記観賞用物品を台座とし、該観賞用物品上にフィギュアを支持状態で設置するために該観賞用物品に着脱可能に取り付け可能な支持用部品をさらに備える観賞用物品。
【請求項１２】
請求項１１において、
前記支持用部品は、組み立て後の前記観賞用物品に着脱可能に取り付けられ、且つ、被差し込み部を有する補助部品と、前記補助部品の被差し込み部に着脱可能に差し込まれる差し込み部を有する第１支柱部品と、前記第１支柱部品に回転可能に取り付けられ、且つ、前記フィギュアを着脱可能に取り付けるための部位を有する第２支柱部品とを備える観賞用物品。
【請求項１３】
請求項１２において、
前記補助部品は、請求項５乃至請求項７の何れか１項に記載した吊り下げ用部品と共用の部品であり、
前記第１支柱部品は、請求項９に記載した支柱部品と共用の部品である観賞用物品。
【請求項１４】
請求項１乃至請求項４のいずれか一項において、
組み立て後の前記観賞用物品の２個以上を連結状態で併設するために該観賞用物品の２個に着脱可能に取り付け可能な連結用部品をさらに備える観賞用物品。
【請求項１５】
請求項１４において、
前記連結用部品は、２個の前記観賞用物品における前記ベース部材と前記フレイム部材の少なくとも一方に着脱可能に嵌め込まれる嵌め込み部を有する観賞用物品。
【発明の詳細な説明】
【技術分野】
【０００１】
本発明は、観賞用物品に関する。
【背景技術】
【０００２】
特許文献１及び２には、シートの一面に設けられた枠内に所望の着色材料（合成樹脂又は粘土）を適宜充填して作製する塗り絵相当物が開示されている。
【０００３】
このような塗り絵相当物は、作製過程（着色材料の充填）に面白みはあるものの、着色材料のはみ出しや色間違い等を原因として、やり直しができない失敗を作製過程で生じ易く、幼児や手先が器用でない者が当該作製を思い通りに行うには難しいものであった。また、この種の玩具の楽しさは作製過程にあることは勿論であるが、出来上がりの達成感や出来上がったものを鑑賞することによる充足感を与えることも重要である。
【先行技術文献】
【特許文献】
【０００４】
【特許文献１】特開平０８−３１４３７１号公報
【特許文献２】特開平０９−１３４１１６号公報
【発明の概要】
【発明が解決しようとする課題】
【０００５】
本発明は、作製過程で失敗を生じた場合でも容易にやり直しができ、出来上がりの達成感や出来上がったものを鑑賞することによる充足感を与えることが可能な観賞用物品を提供することを目的の一つとする。
【課題を解決するための手段】
【０００６】
本発明に係る観賞用物品は、ベース部材と、前記ベース部材に着脱可能なフレイム部材と、前記ベース部材と前記フレイム部材との間に着脱可能に挟み込み可能なピクチャー部材とを備え、前記フレイム部材は、前記ベース部材と前記フレイム部材との間に前記ピクチャー部材を挟み込んだ状態で、前記フレイム部材の外部から前記ピクチャー部材に設けられている絵柄の少なくとも一部を目視できるようにするための露出孔を有している。
【発明の効果】
【０００７】
本発明によれば、作製過程で失敗を生じた場合でも容易にやり直しができ、出来上がりの達成感や出来上がったものを鑑賞することによる充足感を与えることが可能な観賞用物品を提供することができる。
【図面の簡単な説明】
【０００８】
【図１】図１（Ａ）は組み立て後の観賞用物品の前面図、図１（Ｂ）は同側面図、図１（Ｃ）は同後面図である。
【図２】図２（Ａ）は図１に示したベースプレートの前面図、図２（Ｂ）は同側面図、図２（Ｃ）は同後面図である。
【図３】図３（Ａ）は図１に示したフレイムプレートの前面図、図３（Ｂ）は同側面図、図３（Ｃ）は同後面図である。
【図４】図４（Ａ）は図１に示したピクチャーシートの前面図、図４（Ｂ）は図４（Ａ）に示したピクチャーシートの代用となるピクチャーシートの前面図である。
【図５】図５は図１に示した観賞用物品の組み立て方法の説明図である。
【図６】図６（Ａ）は図４（Ａ）に示したピクチャーと配色が異なるピクチャーを有するピクチャーシートの前面図、図６（Ｂ）は図６（Ａ）に示したピクチャーシートの代用となるピクチャーシートの前面図である。
【図７】図７（Ａ）は図４（Ａ）に示したピクチャーとデザインが異なるピクチャーを有するピクチャーシートの前面図、図７（Ｂ）は図７（Ａ）に示したピクチャーシートの代用となるピクチャーシートの前面図である。
【図８】図８は図７（Ａ）に示したピクチャーシートに対応した露出孔を有するフレイムプレートの前面図である。
【図９】図９（Ａ）は吊り下げ用部品の前面図、図９（Ｂ）は同側面図、図９（Ｃ）は同後面図である。
【図１０】図１０（Ａ）は図１に示した観賞用物品に吊り下げ用部品を取り付けた状態の前面図、図１０（Ｂ）は同側面図、図１０（Ｃ）は同後面図である。
【図１１】図１１（Ａ）は起立用部品を構成する支柱部品の前面図、図１１（Ｂ）は同側面図である。
【図１２】図１２は図１に示した観賞用物品に起立用部品を取り付けた状態の側面図である。
【図１３】図１３（Ａ）は支持用部品を構成する第２支柱部品の前面図、図１３（Ｂ）は同側面図である。
【図１４】図１４は図１に示した観賞用物品に支持用部品を取り付けた状態の側面図である。
【図１５】図１５（Ａ）は連結用部品の前面図、図１５（Ｂ）は同側面図である。
【図１６】図１６は図１に示した観賞用物品の２個に連結用部品を取り付けた状態の後面図である。
【発明を実施するための形態】
【０００９】
《第１実施形態》
以下、図１〜図８を用いて本発明の観賞用物品の構造及び効果等について説明する。ここでは、説明の便宜上、図１（Ａ）の手前側を前、奥側を後と表記し、他の図についても同様に表記する。
【００１０】
図１は組み立て後の観賞用物品１０を示すものであって、この観賞用物品１０は、ベースプレート１１と、ベースプレート１１に着脱可能に取り付け可能なフレイムプレート１２と、ベースプレート１１とフレイムプレート１２との間に着脱可能に挟み込み可能なピクチャーシート１３とを備えている。
【００１１】
図２に示したように、ベースプレート１１は、前面形状が正六角形を成すプレート本体１１ａと、プレート本体１１ａの後面周囲に設けられた後面形状が正六角形を成す壁部１１ｂとを有している。プレート本体１１ａの厚さは略一定であり、壁部１１ｂを構成する６つの面状部分の厚さ及び高さは略一定である。
【００１２】
このベースプレート１１は合成樹脂、例えば、汎用ポリスチレン（ＧＰＰＳ）やＡＢＳ樹脂等から形成されていて、好ましくは透光性を有する透明又は半透明（黒色、灰色又は有彩色で着色された半透明を含む）である。勿論、ベースプレート１１として、黒色、灰色又は有彩色等で着色された非透光性のものを用いることも可能である。
【００１３】
プレート本体１１ａの後面の１つの角の近傍には円柱状の補強部１１ａ１が設けられており、この補強部１１ａ１にはその後面からプレート本体１１ａの前面に及ぶ円形状の貫通孔１１ａ２が設けられている。プレート本体１１ａの前面に現れる貫通孔１１ａ２は、観賞用物品１０を組み立てるときの位置的な目印としての役目も果たしている。
【００１４】
壁部１１ｂの６つの角それぞれには、前面形状が略Ｖ字形を成す凸部１１ｂ１が、壁部１１ｂの外面から外側に突出するように設けられている。各凸部１１ｂ１の寸法及び形状は略同じであり、各凸部１１ｂ１の後面は壁部１１ｂの後面と面一であり、各凸部１１ｂ１の前面は壁部１１ｂの外面の高さ方向の略中間位置に達している。
【００１５】
また、壁部１１ｂの６つの面状部分それぞれの中央には、側面形状が略コ字形を成す凹部１１ｂ２が、壁部１１ｂの後面から前側に及ぶように設けられている。各凹部１１ｂ２の寸法及び形状は略同じであり、各凹部１１ｂ２の深さは各凸部１１ｂ１の高さよりも浅い。
【００１６】
図３に示したように、フレイムプレート１２は、前面形状が正六角形を成すプレート本体１２ａと、プレート本体１２ａの後面周囲に設けられた後面形状が正六角形を成す壁部１２ｂとを有している。プレート本体１２ａの厚さは略一定であり、壁部１２ｂを構成する６つの面状部分の厚さ及び高さは略一定である。また、壁部１２ｂの内側空間（正六角柱状の空間）の後面形状は、ベースプレート１１のプレート本体１１ａの前面形状と略一致している。さらに、壁部１２ｂの高さは、ベースプレート１１のプレート本体１１ａの厚さと壁部１２ｂの高さとピクチャーシート１３の厚さとの和と略一致している。即ち、フレイムプレート１２の壁部１２ｂの内側に、ベースプレート１１を着脱可能に嵌め込めるようになっている。
【００１７】
このフレイムプレート１２は合成樹脂、例えば、汎用ポリスチレン（ＧＰＰＳ）やＡＢＳ樹脂等から形成されていて、好ましくは透光性を有しない黒色である。勿論、フレイムプレート１２として、黒色、灰色又は有彩色等で着色された透光性のものを用いることも可能である。
【００１８】
プレート本体１２ａには、ピクチャーシート１３に設けられているピクチャー１３ｂ（図４（Ａ）を参照）の少なくとも一部をフレイムプレート１２の外部から目視できるようにするための露出孔１２ａ１が設けられている。図示した露出孔１２ａ１は複数個（図中は３個）の貫通孔から成っていて、ピクチャー１３ｂ（図４（Ａ）を参照）における各貫通孔に対応した部分をフレイムプレート１２の外部から目視できるようになっている。各貫通孔は、輪郭を表す主枠線の他に、内側模様を表す副枠線を有しており、副枠線はプレート本体１２ａと略同じ厚さと内側模様に対応した幅を有している。この主枠線及び副枠線の態様等については、後述のピクチャープレート１３の説明において補足する。
【００１９】
また、プレート本体１２ａの前面の１つの角の近傍には、ベースプレート１１の貫通孔１１ａに対応した円形状の貫通孔１２ａ２が設けられている。この貫通孔１２ａ２は、観賞用物品１０を組み立てるときの位置的な目印としての役目も果たしている。
【００２０】
壁部１２ｂの６つの角それぞれには、後面形状が略Ｖ字形を成す凹部１２ｂ１が、壁部１１ｂの後面から前側に及ぶように設けられている。各凹部１２ｂ１の寸法及び形状は略同じであり、各々の寸法及び形状はベースプレート１１の各凸部の寸法及び形状と略一致している。即ち、フレイムプレート１２の壁部１２ｂの内側にベースプレート１１を着脱可能に嵌め込むときに、フレイムプレート１２の壁部１２ｂの各凹部１２ｂ１の内側それぞれに、ベースプレート１１の各凸部１１ｂ１を着脱可能に嵌め込めるようになっている。
【００２１】
また、壁部１２ｂの６つの面状部分それぞれの中央には、側面形状が略コ字形を成す凹部１２ｂ２が、壁部１２ｂの後面から前側に及ぶように設けられている。各凹部１２ｂ２の寸法及び形状は略同じであり、各々の寸法及び形状はベースプレート１１の各凹部１１ｂ２の寸法及び形状と略一致しており、各々の位置はベースプレート１１の各凹部１１ｂ２と整合する位置となっている。
【００２２】
図４（Ａ）に示したように、ピクチャーシート１３は、輪郭が正六角形を成すシート本体１３ａと、シート本体１３ａの前面に設けられたピクチャー１３ｂとを有している。また、ピクチャーシート１３の輪郭は、ベースプレート１１のプレート本体１１ａの前面形状と略一致している。さらに、シート本体１３ａの前面の１つの角の近傍には、ベースプレート１１の貫通孔１１ａに対応した円形状の貫通孔１３ａ１が設けられている。この貫通孔１３ａ１は、観賞用物品１０を組み立てるときの位置的な目印としての役目も果たしている。
【００２３】
このピクチャーシート１３は、上質紙や合成樹脂シート等から成るシート本体１３ａの前面に、オフセット印刷やグラビア印刷等の印刷法によってピクチャー１３ｂを設けたものである。また、ピクチャーシート１３の厚さは０．１〜０．３ｍｍ程度で極めて薄いものを用いることができる。また、ピクチャーシート１３として、透光性を有するものや非透光性のものを用いることが可能である。
【００２４】
ピクチャー１３ｂは、例えばアニメーションや漫画や小説等に登場するキャラクターを模したものや、動物や自動車や飛行機等を模したもの等、適宜選択できる。図示したピクチャー１３ｂはうさぎの目及び耳と人参等に対応する複数個の色彩部分（下地となる色彩部分が含まれていても良い）から成るが、各色彩部分は輪郭を表す線や内側模様を表す線（うさぎの目を除く）を有していない。即ち、ピクチャー１３ｂは、その前面にフレイムプレート１２のプレート本体１２ａを重ねたときに、露出孔１２ａ１を構成する各貫通孔の主枠線及び副枠線によって、うさぎの顔及び耳の輪郭と耳及び口の内側模様、並びに、人参の本体及び葉の輪郭と本体及び葉の内側模様が、フレイムプレート１２の外部から目視できるようになっている。
【００２５】
勿論、図４（Ａ）に示したピクチャーシート１３の代わりに、図４（Ｂ）に示したピクチャーシート１３’を使用することもできる。このピクチャーシート１３’に設けられたピクチャー１３ｂ’は、前記ピクチャー１３ｂと同様の複数個の色彩部分を有すると共に、各色彩部分に輪郭を表す線と内側模様を表す線（うさぎの目を除く）が付加されている。因みに、ピクチャーシート１３の代わりにピクチャーシート１３’を使用した場合には、ピクチャー１３ｂ’に輪郭を表す線と内側模様を表す線があるため、ピクチャーシート１３を使用する場合よりも後述の組み立ての難易度は下がる。
【００２６】
観賞用物品１０を組み立てるときには、例えば、卓上にベースプレート１１を置き、続いてベースプレート１１のプレート本体１１ａの前面にピクチャー１３ｂを載せ、続いてベースプレート１１及びピクチャーシート１３を覆うようにフレイムプレート１２をベースプレート１１に被せて、ベースプレート１１のプレート本体１１ａ及び壁部１１ｂにフレイムプレート１２の壁部１２ｂを嵌め込むと共に、ベースプレート１１の各突起１１ｂ１にフレイムプレート１２の各凹部１２ｂ１を嵌め込む（図５を参照）。フレイムプレート１２の壁部１２ｂの高さが、ベースプレート１１のプレート本体１１ａの厚さと壁部１２ｂの高さとピクチャーシート１３の厚さとの和と略一致しているため、組み立て後はベースプレート１１の壁部１１ｂの後面とフレイムプレート１２の壁部１２ｂの後面は略面一になる。
【００２７】
組み立て過程で、ベースプレート１１の貫通孔１１ａ２と、ピクチャーシート１３の貫通孔１３ａ１と、フレイムプレート１２の貫通孔１２ａ２の位置を合わせるようにすれば、ピクチャーシート１３のピクチャー１３ｂとフレイムプレート１２の露出孔１２ａ１とに位置ズレが生じることを防止できる。万が一、組み立て後の観賞用物品１０において、ピクチャーシート１３のピクチャー１３ｂとフレイムプレート１２の露出孔１２ａ１とに位置ズレが生じてしまった場合には、フレイムプレート１２をベースプレート１１から取り外した後に、ピクチャーシート１３を向きを変えてから、再び、フレイムプレート１２をベースプレート１１に嵌め込めば良い。
【００２８】
このように、前述の観賞用物品１０によれば、観賞用物品１０を組み立てる過程（作製過程）で失敗を生じた場合でも簡単にやり直しが行えるため、幼児や手先が器用でない者であっても当該組み立てを楽しく行える。しかも、出来上がりの達成感や出来上がったものを鑑賞することによる充足感を与えることが可能である。
【００２９】
また、ベースプレート１１とピクチャーシート１３の両者を透光性を有するものとすれば、組み立て後の観賞用物品１０の後方から光を当てることにより、フレイムプレート１２の露出孔１２ａ１を通じて目視できるピクチャー１３ｂの少なくとも一部の見栄えを良くして、前記の達成感及び充足感をより一層高めることができる。
【００３０】
また、フレイムプレート１２の露出孔１２ａ１が複数個の貫通孔から構成されているため、観賞用物品１０を組み立てる過程の面白みを高められる。因みに、観賞用物品１０を組み立てる過程の面白みをより一層高める方法としては、ベースプレート１１、ピクチャーシート１３及びフレイムプレート１２から位置的目印となる貫通孔１１ａ２、１３ａ１及び貫通孔１２ａ２を排除して、観賞用物品１０の組み立ての難易度を上げる方法の他、露出孔１２ａ１を構成する貫通孔の個数をピクチャー１３ｂに見合うように適宜増加させて、観賞用物品１０の組み立ての難易度を上げる方法等が挙げられる。
【００３１】
さらに、フレイムプレート１２の壁部１２ｂの内側にベースプレート１１を着脱可能に嵌め込めるように構成されているため、組み立てに係るフレイムプレート１２の取り付け作業及び取り外しを簡単、且つ、確実に行うことが可能である。
【００３２】
さらに、ベースプレート１１に複数個の凸部１１ｂ１を設け、これら凸部１１ｂ１が着脱可能に嵌め込まれる凹部１２ｂ１をフレイムプレート１２に設けているので、フレイムプレート１２へのベースプレート１１を嵌め込み力が弱い場合でも、この嵌め込み力を凸部１１ｂ１と凹部１２ｂ１との嵌め込み力によって補うことができ、これにより組み立て後の観賞用物品１０からベースプレート１１が抜けてしまう等の不具合を防止できる。
【００３３】
〈第１実施形態の変形例〉
（１）所定配色のピクチャー１３ｂを有するピクチャーシート１３を図４（Ａ）に示したが、ピクチャー１３ｂと配色が異なるピクチャー１４ｂを有するピクチャーシート１４（図６（Ａ）を参照）を別途用意しておけば、ベースプレート１１及びフレイムプレート１２を変えずに、配色が異なるピクチャー１４ｂを有するピクチャーシート１４を使用できる。このようにすれば、配色が異なる２種類以上のピクチャー（１３ｂ、１４ｂ）を好みや気分に応じて選択できるといった別の面白みを付加できる。勿論、図６（Ａ）に示したピクチャーシート１４の代わりに、図６（Ｂ）に示したピクチャーシート１４’、即ち、ピクチャー１４ｂの各色彩部分に輪郭を表す線と内側模様を表す線が付加されたピクチャー１４ｂを有するピクチャーシート１４’を使用しても良い。
【００３４】
（２）所定デザインのピクチャー１３ｂを有するピクチャーシート１３を図４（Ａ）に示したが、デザインが異なるピクチャー１５ｂを有するピクチャーシート１５（図７を参照）を別途用意すると共に、このピクチャーシート１５に対応した露出孔１６ａ１を有するフレイムプレート１６（図８を参照）を別途用意しておけば、ベースプレート１１を変えずに、デザインが異なるピクチャー１５ｂを有するピクチャーシート１５を使用できる。このようにすれば、デザインが異なる２種類以上のピクチャー（１３ｂ、１５ｂ）を好みや気分に応じて選択できるといった別の面白みを付加できる。
【００３５】
図８に示したフレイムプレート１６は、ピクチャーシート１５に設けられたピクチャー１５ｂ（図７（Ａ）を参照）の少なくとも一部をフレイムプレート１６の外部から目視できるようにするための露出孔１６ａ１が設けられている。図示した露出孔１６ａ１は複数個（図中は５個）の貫通孔から成っていて、ピクチャー１５ｂ（図７（Ａ）を参照）における各貫通孔に対応した部分をフレイムプレート１６の外部から目視できるようになっている。各貫通孔は、輪郭を表す主枠線の他に、内側模様を表す副枠線を有しており、副枠線はプレート本体１６ａと略同じ厚さと内側模様に対応した幅を有している。
【００３６】
図７（Ａ）に示したピクチャー１５ｂはうさぎの目及び耳と玉葱等に対応する複数個の色彩部分（下地となる色彩部分が含まれていても良い）から成るが、各色彩部分は輪郭を表す線や内側模様を表す線（うさぎの目を除く）を有していない。即ち、ピクチャー１５ｂは、その前面にフレイムプレート１６のプレート本体１６ａを重ねたときに、露出孔１６ａ１を構成する各貫通孔の主枠線及び副枠線によって、うさぎの顔及び耳の輪郭と耳及び口の内側模様、並びに、玉葱の輪郭と内側模様が、フレイムプレート１６の外部から目視できるようになっている。
【００３７】
勿論、図７（Ａ）に示したピクチャーシート１５の代わりに、図７（Ｂ）に示したピクチャーシート１５’を使用しても良い。このピクチャーシート１５’に設けられたピクチャー１５ｂ’は、前記ピクチャー１５ｂと同様の複数個の色彩部分を有すると共に、各色彩部分に輪郭を表す線と内側模様を表す線（うさぎの目を除く）が付加されている。因みに、ピクチャーシート１５の代わりにピクチャーシート１５’を使用した場合には、ピクチャー１５ｂ’に輪郭を表す線と内側模様を表す線があるため、ピクチャーシート１５を使用する場合よりも組み立ての難易度は下がる。ピクチャー１５ｂと配色が異なるピクチャーを有するピクチャーシートを使用する場合については、前記（１）で述べた手法等が同様に採用できる。
【００３８】
（３）ベースプレート１１に複数個の凸部１１ｂ１を設け、これら凸部１１ｂ１が着脱可能に嵌め込まれる凹部１２ｂ１をフレイムプレート１２に設けたものを図２及び図３に示したが、フレイムプレート１２のプレート本体１２ａの後面の６つの角それぞれの内側に同形態の凸部を設け、これら凸部が着脱可能に嵌め込まれる同形態の凹部をベースプレート１１のプレート本体１１ａの６つの角それぞれに設けるようにしても、凸部と凹部による着脱可能な嵌め込みを行える。
【００３９】
（４）ベースプレート１１に複数個の凸部１１ｂ１を設け、これら凸部１１ｂ１が着脱可能に嵌め込まれる凹部１２ｂ１をフレイムプレート１２に設けたものを図２及び図３に示したが、フレイムプレート１２の壁部１２ｂとベースプレート１１との間に十分な嵌め込み力が確保できる場合には、ベースプレート１１から複数個の凸部１１ｂ１を排除し、且つ、フレイムプレート１２から複数個の凹部１２ｂ１を排除しても良い。
【００４０】
（５）ベースプレート１１に壁部１１ｂを設けたものを図２に示したが、プレート本体１１ａの厚さを壁部１１ｂの高さ分だけ厚くすれば、ベースプレート１１から壁部１１ｂを排除できるし、補強部１１ａ１も排除できる。
【００４１】
（６）フレイムプレート１２に設けた壁部１２ｂを利用してベースプレート１１の嵌め込みを行うものを図２及び図３に示したが、他の嵌め込み手段、例えば、ベースプレート１１のプレート本体１１ａとフレイムプレート１２のプレート本体１２ａの一方に設けた複数のピンと他方に設けたピン差し込み孔等を採用しても、前記同様の嵌め込みを行えると共にフレイムプレート１２から壁部１２ｂを排除することもできる。
【００４２】
（７）ベースプレート１１とフレイムプレート１２のそれぞれに複数個の凹部１１ｂ２と同数の凹部１２ｂ２を設けたものを図２及び図３に示したが、これら凹部１１ｂ２及び１２ｂ２は後記吊り下げ用部品２１と後記連結用部品２４を観賞用物品１０に取り付けるときの配慮であるため、後記吊り下げ用部品２１と後記連結用部品２４を使用しない場合には必ずしも必要なものではない。
【００４３】
《第２実施形態》
以下、図９及び図１０を引用して、吊り下げ用部品を備える観賞用物品の構造及び効果等について説明する。ここでは、説明の便宜上、図１０（Ａ）の手前側を前、奥側を後、上側を上、下側を下と表記し、他の図についても同様に表記する。
【００４４】
吊り下げ用部品２１（図９を参照）は、図１に示した観賞用物品１０を吊り下げ状態で設置するときに用いられる。吊り下げ用部品２１は、前面形状が略Ｖ字形（内面角度は略６０度）を成す部品本体２１ａと、部品本体２１ａの両先端部の下側それぞれに設けられた取付部２１ｂと、部品本体２１ａの中央の上側に設けられた薄板部２１ｃとを有している。
【００４５】
この吊り下げ用部品２１は合成樹脂、例えば、汎用ポリスチレン（ＧＰＰＳ）やＡＢＳ樹脂等から形成されていて、好ましくは透光性を有する透明又は半透明（黒色、灰色又は有彩色で着色された半透明を含む）である。勿論、吊り下げ用部品２１として、黒色、灰色又は有彩色等で着色された非透光性のものを用いることも可能である。
【００４６】
部品本体２１ａの厚さはフレイムプレート１２の側面高さ（図３（Ｂ）を参照）と略一致している。また、部品本体２１ａの中央には、吊り下げに利用可能な円形状の貫通孔２１ａ１が設けられている。
【００４７】
各取付部２１ｂは断面形状が略Ｌ字形を成していて、各々の後面は部品本体２１ａの後面と面一である。また、各取付部２１ｂの長さは、ベースプレート１１の凹部１１ｂ２の長さとフレイムプレート１２の凹部１２ｂ２の長さに略一致している。さらに、各取付部２１ｂの前面側には直線溝から成る嵌め込み部２１ｂ１が設けられていて、この嵌め込み部２１ｂ１の底面部分の厚さは、ベースプレート１１の凹部１１ｂ２の深さとフレイムプレート１２の凹部１２ｂ２の深さに略一致している。さらに、嵌め込み部２１ｂ１の幅は、ベースプレート１１の壁部１１ｂの厚さとフレイムプレート１２の壁部１２ｂの厚さとの和に略一致している。
【００４８】
薄板部２１ｃの厚さは部品本体２１ａの厚さよりもかなり薄く、その後面は部品本体２１ａの後面と面一である。また、薄板部２１ｃの中央には、吊り下げに利用可能な細長い貫通孔２１ｃ１が設けられている。
【００４９】
吊り下げ用部品２１を観賞用物品１０に取り付けるときには、例えば、部品本体２１ａの下側面をフレイムプレート１２（壁部１２ｂ）の１つの角の両側の外面に接触させつつ、各取付部２１ｂの嵌め込み部２１ｂ１をベースプレート１１の２つの凹部１１ｂ２の底面部分とフレイムプレート１２の２つの凹部１２ｂ２の底面部分にそれぞれ嵌め込む（図１０を参照）。各嵌め込み部２１ｂ１の底面部分の厚さが、ベースプレート１１の凹部１１ｂ２の深さとフレイムプレート１２の凹部１２ｂ２の深さに略一致しているため、取り付け後の各取付部２１ｂの後面は、ベースプレート１１の壁部１１ｂの後面及びフレイムプレート１２の壁部１２ｂの後面と略面一になる。
【００５０】
このように、前述の吊り下げ用部品２１を備える観賞用物品１０によれば、吊り下げ用部品２１を観賞用物品１０を取り付けることによって、壁面等に観賞用物品１０を吊り下げ状態で設置して飾り付けることができる。しかも、吊り下げ用部品２１を観賞用物品１０から取り外して、観賞用物品１０を持ち運んだり単独使用することも容易に行える。
【００５１】
加えて、吊り下げ用部品２１を透明又は半透明なものとすれば、壁面等に飾り付けたときに観賞用物品１０の見栄えが吊り下げ用部品２１によって損なわれることを抑制できる。
【００５２】
また、観賞用物品１０への吊り下げ用部品２１の取り付けを簡単な嵌め込みによって行えるため、取り付け作業が極めて簡単であり、且つ、取り付け作業に失敗を生じ難いし、取り外し作業も簡単に行える。
【００５３】
さらに、観賞用物品１０は貫通孔１１ａ２，１２ａ２及び１３ａ１を有するものであるため、この貫通孔１１ａ２，１２ａ２及び１３ａ１を用いて吊り下げを行うことは可能であるが、吊り下げ用部品２１を利用して所期の吊り下げを行うことによって、壁面等に飾り付けたときの観賞用物品１０の見栄えを良くできるし、吊り下げ用部品２１によって豪華な雰囲気も醸し出せる。
【００５４】
さらに、吊り下げ用部品２１の貫通孔２１ａ１と貫通孔２１ｃ１を選択的に使用して、観賞用物品１０の吊り下げを行える。具体的には、鉤型フックを用いて吊り下げを行う場合には貫通孔２１ａ１を使用でき、画鋲を用いて吊り下げを行う場合には貫通孔２１ｃ１を使用できる。とりわけ貫通孔２１ｃ１は細長く、且つ、薄板部２１ｃに設けられているため、針の短い画鋲を用いる場合でも所期の吊り下げを的確に行える。
【００５５】
《第３実施形態》
以下、図１１及び図１２を引用して、起立用部品を備える観賞用物品の構造及び効果等について説明する。ここでは、説明の便宜上、図１２の左側を前、右側を後、上側を上、下側を下と表記し、他の図についても同様に表記する。
【００５６】
起立用部品は、図１に示した観賞用物品１０を起立状態で設置するときに用いられる。この起立用部品は、台座部品と、支柱部品２２（図１１を参照）とによって構成されている。尚、図示した台座部品は、図９に示した吊り下げ用部品２１と共用の部品であるため、以後、台座部品２１と称してその説明を省略する。
【００５７】
支柱部品２２は、略四角柱状の部品本体２２ａと、部品本体２２ａの上下端それぞれに設けられた軸支部２２ｂ及び軸支部２２ｃと、下側の軸支部２２ｃに回転可能に取り付けられた支持部２２ｄとを有している。
【００５８】
この支柱部品２２は合成樹脂、例えば、汎用ポリスチレン（ＧＰＰＳ）やＡＢＳ樹脂等から形成されていて、好ましくは透光性を有する透明又は半透明（黒色、灰色又は有彩色で着色された半透明を含む）である。勿論、支柱部品２２として、黒色、灰色又は有彩色等で着色された非透光性のものを用いることも可能である。
【００５９】
部品本体２２ａの上部前側には、観賞用物品１０の貫通孔１１ａ２，１２ａ２及び１３ａ１に着脱可能に差し込まれる円柱状の差し込み部２２ａ１が、斜め上に向くように設けられている。
【００６０】
上側の軸支部２２ｂには円形状の軸孔２２ｂ１が設けられ、下側の軸支部２２ｃにも同様の軸孔２２ｃ１が設けられている。支持部２２ｄの上部には、下側の軸支部２２ｃの軸孔２２ｃ１に回転可能に差し込まれた円柱状の軸部２２ｄ１が設けられている。即ち、部品本体２２ａ（軸支部２２ｂを含む）は、軸支部２２ｃに対して前後方向に回転できるようになっている（図１１（Ｂ）の矢印を参照）。また、支持部２２ｄの下端には、台座部品２１の貫通孔２１ａ１に着脱可能に差し込まれる円柱状の差し込み部２２ｄ２が設けられている。
【００６１】
起立用部品（台座部品２１及び支柱部品２２）を観賞用物品１０に取り付けるときには、例えば、卓上に台座部品２１を置き、続いて台座部品２１の貫通孔２１ａ１に支柱部品２２の差し込み部２２ｄ２を差し込み、続いて支柱部品２２の差し込み部２２ａ１を観賞用物品１０の貫通孔１１ａ２，１２ａ２及び１３ａ１の後面側に差し込む（図１２を参照）。差し込み部２２ａ１は斜め上に向くように設けられているため、差し込み部２２ａ１を貫通孔１１ａ２，１２ａ２及び１３ａ１に差し込むと観賞用物品１０は傾いた状態となる。観賞用物品１０の傾きを調整する場合には、支柱部品２２の部品本体２２ａ（軸支部２２ｂを含む）を軸支部２２ｃに対して前後方向に回転させれば良い。
【００６２】
このように、前述の起立用部品（台座部品２１及び支柱部品２２）を備える観賞用物品１０によれば、起立用部品を観賞用物品１０に取り付けることによって、卓上等に観賞用物品１０を起立状態で設置して飾り付けることができる。しかも、起立用部品を観賞用物品１０から取り外して、観賞用物品１０を持ち運んだり単独使用することも容易に行える。
【００６３】
加えて、起立用部品（台座部品２１及び支柱部品２２）を透明又は半透明なものとすれば、卓上等に飾り付けたときに観賞用物品１０の見栄えが起立用部品によって損なわれることを抑制できる。しかも、支柱部品２２を透光性を有するものとすれば、透光性を有するベースプレート１１及びピクチャーシート１３を用いた観賞用物品１０が支柱部品２２と近接する場合であっても、支柱部品２２の後方から観賞用物品１０の後面に当てられる光が支柱部品２２によって遮られることを抑制できる。
【００６４】
また、観賞用物品１０への起立用部品の取り付けを簡単な嵌め込み及び差し込みによって行えるため、取り付け作業が極めて簡単であり、且つ、取り付け作業に失敗を生じ難いし、取り外し作業も簡単に行える。
【００６５】
さらに、起立用部品が観賞用物品１０の前面を遮ることがないため、卓上等に飾り付けたときの観賞用物品１０の見栄えを良くできるし、起立用部品によって豪華な雰囲気も醸し出せる。
【００６６】
さらに、起立用部品を構成する台座部品２１が、図９に示した吊り下げ用部品２１と共用の部品であるため、専用の台座部品を用意する必要がなく、吊り下げ用部品２１を単独使用することによる恩恵（第２実施形態欄の効果記載を参照）も任意に得られる。
【００６７】
尚、支柱部品２２の部品本体２２ａ（軸支部２２ｂを含む）を軸支部２２ｃに対して前後方向に回転できるようにする手段として、円形状の軸孔２２ｃ１と円柱状の軸部２２ｄ１との組み合わせを示したが、軸孔２２ｃ１と軸部２２ｄ１の一方に等角度間隔で凸部を設け、且つ、他方に凸部が回転過程で嵌まり込むような凹部を同一の等角度間隔で設けておけば、この角度間隔を単位として部品本体２２ａを軸支部２２ｃに対して段階的に回転させることもできる。このようにすれば、観賞用物品１０の重量によって観賞用物品１０の傾きが変化してしまうことを確実に防止できる。
【００６８】
《第４実施形態》
以下、図１３及び図１４を引用して、支持用部品を備える観賞用物品の構造及び効果等について説明する。ここでは、説明の便宜上、図１４の左側を前、右側を後、上側を上、下側を下と表記し、他の図についても同様に表記する。
【００６９】
支持用部品は、図１に示した観賞用物品１０を台座とし、この観賞用物品１０上にフィギュアＦＩを支持状態で設置するときに用いられる。この支持用部品は、補助部品と、第１支柱部品と、第２支柱部品２３（図１３を参照）とによって構成されている。尚、図示した補助部品は、図９に示した吊り下げ用部品２１と共用の部品であるため、以後、補助部品２１と称してその説明を省略する。また、図示した第１支柱部品は、図１１に示した支柱部品２２と共用の部品であるため、以後、第１支柱部品２２と称してその説明を省略する。
【００７０】
第２支柱部品２３は、略四角柱状の部品本体２３ａと、部品本体２３ａの下端に設けられた軸支部２３ｂとを有している。
【００７１】
この第２支柱部品２３は合成樹脂、例えば、汎用ポリスチレン（ＧＰＰＳ）やＡＢＳ樹脂等から形成されていて、好ましくは透光性を有する透明又は半透明（黒色、灰色又は有彩色で着色された半透明を含む）である。勿論、第２支柱部品２３として、黒色、灰色又は有彩色等で着色された非透光性のものを用いることも可能である。
【００７２】
部品本体２３ａの上端には、フィギュアＦＩの取付穴（図示省略）に着脱可能に差し込まれる円柱状の差し込み部２３ａ１が設けられている。また、軸支部２３ｂには、第１支柱部品２２の軸孔２２ｂ１に回転可能に差し込まれる円柱状の軸部２３ｂ１が設けられている。
【００７３】
支持用部品（補助部品２１、第１支柱部品２２及び第２支柱部品２３）を観賞用物品１０に取り付けるときには、例えば、観賞用物品１０に補助部品２１を取り付け（第２実施形態欄の取り付け方法を参照）、続いて卓上にこの観賞用物品１０を置き、続いて台座部品２１の貫通孔２１ａ１に第１支柱部品２２の差し込み部２２ｄ２を差し込み、続いて第１支柱部品２２の軸孔２２ｂ１に第２支柱部品２３の軸部２３ｂ１を差し込む（図１４を参照）。即ち、第２支柱部品２３は、第１支柱部品２２に対して前後方向に回転できるようになっている（図１４の矢印を参照）。そして、第１支柱部品２２の差し込み部２３ａ１をフィギアＦＩの取付穴に差し込む（図１４を参照）。フィギュアＦＩの傾きを調整する場合には、第２支柱部品２３を第１支柱部品２２に対して前後方向に回転させるか、第１支柱部品２２の部品本体２２ａ（軸支部２２ｂを含む）を軸支部２２ｃに対して前後方向に回転させれば良い。
【００７４】
フィギュアＦＩは、アニメーションや漫画や小説等に登場するキャラクターを模した立体的なもの他、動物や自動車や飛行機等を模した立体的なものから適宜選択できる。因みに、図示したフィギュアＦＩは、観賞用物品１０のピクチャー１３ｂに対応した立体的なもの、或いは、ピクチャー１３ｂに関連深い立体的なものである。
【００７５】
このように、前述の支持用部品（補助部品２１、第１支柱部品２２及び第２支柱部品２３）を備える観賞用物品１０によれば、支持用部品を観賞用物品１０に取り付けることによって、卓上等に置かれた観賞用物品１０を台座とし、この観賞用物品１０上にフィギュアＦＩを支持状態で設置して飾り付けることができる。しかも、支持用部品を観賞用物品１０から取り外して、観賞用物品１０を持ち運んだり単独使用することも容易に行える。
【００７６】
加えて、支持用部品（補助部品２１、第１支柱部品２２及び第２支柱部品２３）を透明又は半透明なものとすれば、卓上等に飾り付けたときに観賞用物品１０及びフィギュアＦＩの見栄えが支持用部品によって損なわれることを抑制できる。しかも、第１支柱部品２２を透光性を有するものとすれば、第１支柱部品２２の後方から観賞用物品１０の前面に当てられる光が第１支柱部品２２によって遮られることを抑制できる。
【００７７】
また、観賞用物品１０への支持用部品の取り付けを簡単な嵌め込み及び差し込みによって行えるため、取り付け作業が極めて簡単であり、且つ、取り付け作業に失敗を生じ難いし、取り外し作業も簡単に行える。
【００７８】
さらに、支持用部品が観賞用物品１０及びフィギュアＦＩの前面を遮ることもないため、卓上等に飾り付けたときの観賞用物品１０及びフィギュアＦＩの見栄えを良くできるし、支持用部品によって豪華な雰囲気も醸し出せる。
【００７９】
さらに、支持用部品を構成する台座部品２１が、図９に示した吊り下げ用部品２１と共用の部品であるため、専用の台座部品を用意する必要がなく、吊り下げ用部品２１を単独使用することによる恩恵（第２実施形態欄の効果記載を参照）も任意に得られる。加えて、支持用部品を構成する第１支柱部品２２が、図１１に示した支柱部品２２と共用の部品であるため、専用の第１支柱部品を用意する必要がなく、支柱部品２２及び吊り下げ用部品２１を使用することによる恩恵（第３実施形態欄の効果記載を参照）も任意に得られる。
【００８０】
尚、第２支柱部品２３を第１支柱部品２２に対して前後方向に回転できるようにする手段として、円形状の軸孔２２ｂ１と円柱状の軸部２３ｂ１との組み合わせを示したが、軸孔２２ｂ１と軸部２３ｂ１の一方に等角度間隔で凸部を設け、且つ、他方に凸部が回転過程で嵌まり込むような凹部を同一の等角度間隔で設けておけば、この角度間隔を単位として第２支柱部品２３を第１支柱部品２２に対して段階的に回転させることもできる。これに加えて、先に述べたように第１支柱部品２２の部品本体２２ａを軸支部２２ｃに対して段階的に回転できるようにすれば、フィギュアＦＩの重量によってフィギュアＦＩの傾きが変化してしまうことを確実に防止できる。
【００８１】
《第５実施形態》
以下、図１５及び図１６を引用して、連結用部品を備える観賞用物品の構造及び効果等について説明する。ここでは、説明の便宜上、図１６の手前側を後、奥側を前と表記し、他の図についても同様に表記する。
【００８２】
連結用部品２４（図１５を参照）は、図１に示した観賞用物品１０の２個以上を連結状態で併設するときに用いられる。連結用部品２４は断面形状が略コ字形を成す部品本体２４ａから成り、部品本体２４ａの前面側には直線溝から成る嵌め込み部２４ａ１が設けられている。
【００８３】
この連結用部品２４は合成樹脂、例えば、汎用ポリスチレン（ＧＰＰＳ）やＡＢＳ樹脂等から形成されていて、好ましくは透光性を有する透明又は半透明（黒色、灰色又は有彩色で着色された半透明を含む）である。勿論、連結用部品２４として、黒色、灰色又は有彩色等で着色された非透光性のものを用いることも可能である。
【００８４】
部品本体２４ａの長さは、ベースプレート１１の凹部１１ｂ２の長さとフレイムプレート１２の凹部１２ｂ２の長さに略一致している。また、嵌め込み部２４ａ１の底面部分の厚さは、ベースプレート１１の凹部１１ｂ２の深さとフレイムプレート１２の凹部１２ｂ２の深さに略一致している。さらに、嵌め込み部２４ａ１の幅は、ベースプレート１１の壁部１１ｂの厚さとフレイムプレート１２の壁部１２ｂの厚さとの和の２倍値に略一致している。
【００８５】
連結用部品２４を用いて２個の観賞用物品１０を連結するときには、例えば、卓上に２個の観賞用物品１０を裏向きに置いて各々の外面を構成する６つの面状部分の１つを接触させつつ、連結用部品２４の嵌め込み部２４ａ１を、一方の観賞用物品１０のベースプレート１１の１つの凹部１１ｂ２の底面部分とフレイムプレート１２の１つの凹部１２ｂ２の底面部分、並びに、他方の観賞用物品１０のベースプレート１１の１つの凹部１１ｂ２の底面部分とフレイムプレート１２の１つの凹部１２ｂ２の底面部分に嵌め込む（図１６を参照）。連結用部品２４の嵌め込み部２４ａ１の底面部分の厚さが、ベースプレート１１の凹部１１ｂ２の深さとフレイムプレート１２の凹部１２ｂ２の深さに略一致しているため、取り付け後の連結用部品２４の後面は、２個の観賞用物品１０のベースプレート１１の壁部１１ｂの後面とフレイムプレート１２の壁部１２ｂの後面と略面一になる。
【００８６】
このように、前述の連結用部品２４を備える観賞用物品１０によれば、連結用部品２５を２個の観賞用物品１０に取り付けることによって、卓上等に２個の観賞用物品１０を連結状態で併設して飾り付けることができる。しかも、連結用部品２４を２個の観賞用物品１０から取り外して、各観賞用物品１０を持ち運んだり単独使用することも容易に行える。
【００８７】
また、２個の観賞用物品１０への連結用部品２４の取り付けを簡単な嵌め込みによって行えるため、取り付け作業が極めて簡単であり、且つ、取り付け作業に失敗を生じ難いし、取り外し作業も簡単に行える。
【００８８】
さらに、連結用部品２４を複数個用いることにより、卓上等に３個以上の観賞用物品１０を連結状態で併設して飾り付けることができる。因みに、観賞用物品１０は前面形状が正六角形であるため、１個の観賞用物品１０に対して最大で６個の観賞用物品１０を連結状態で併設できる。
【００８９】
《他の実施形態》
（１）第１〜第５実施形態欄に示した観賞用物品１０の前面形状を正六角形以外の正多角形、例えば、正五角形や正方形や正三角形等としても、第１〜第５実施形態欄に記載した効果を同様に得ることができる。勿論、観賞用物品１０の前面形状を円形や楕円形等にしても、吊り下げ用部品２１の嵌め込み部２１ｂ１等を湾曲させたり、連結用部品２４の嵌め込み部２４ａ１を湾曲させれば、第１〜第５実施形態欄に記載した効果を同様に得ることは可能である。
【００９０】
（２）第２〜第５実施形態欄に示した吊り下げ用部品（台座部品、補助部品）２１と支柱部品（第１支柱部品）２２と第２支柱部品２３と連結用部品２４の４個の部品を、第１実施形態欄に示した観賞用物品１０を構成するベースプレート１１、フレイムプレート１２及びピクチャーシート１３とワンセットにした商品とすれば、これら４個の部品を適宜使用することによって、第２〜第５実施形態欄に記載した効果を選択的に得ることができる。
【００９１】
（３）前記４個の部品を観賞用物品構成部品とワンセットとした商品とする場合には、使用していない部品を使用中の部品に着脱可能に取り付けられるようにしておけば、例えば、第３実施形態にあっては第１支柱部品（支柱部品）２２に第２支柱部品２３を嵌め込み等によって着脱可能に取り付けられるようにしておけば、前記４個の部品の紛失を防ぐ上で有効である。
【００９２】
なお、本発明の実施形態は上記に限るものではなく、適宜構成要素の追加・変更・省略ができる。例えば、上記の実施形態では、ベースプレート１１、フレイムプレート１２、ピクチャーシート１３として、表面が平坦な板状の部材を用いて説明したが、これに限定されるものではなく、表面に凹凸や球面等を有する立体的な部材を用いてもよい。
【符号の説明】
【００９３】
１０…観賞用物品、１１…ベースプレート、１１ｂ…壁部、１１ｂ１…凸部、１２…フレイムプレート、１２ａ１…露出孔、１２ｂ１…凹部、１３…ピクチャーシート、１３ｂ…ピクチャー、１３’…ピクチャーシート、１３ｂ’…ピクチャー、１４…ピクチャーシート、１４ｂ…ピクチャー、１４’…ピクチャーシート、１４ｂ’…ピクチャー、１５…ピクチャーシート、１５ｂ…ピクチャー、１５’…ピクチャーシート、１５ｂ’…ピクチャー、１６…フレイムプレート、１６ａ１…露出孔、２１…吊り下げ用部品（台座部品、補助部品）、２１ａ１…貫通孔、２１ｂ１…嵌め込み部、２１ｃ…薄板部、２１ｃ１…貫通孔、２２…支柱部品（第１支柱部品）、２２ａ１…差し込み部、２２ｄ２…差し込み部、２３…第２支柱部品、２３ａ１…差し込み部、２４…連結用部品、２４ａ１…嵌め込み部、ＦＩ…フィギュア。
【図１】
2017124236.tif 000003
【図２】
2017124236.tif 000004
【図３】
2017124236.tif 000005
【図４】
2017124236.tif 000006
【図５】
2017124236.tif 000007
【図６】
2017124236.tif 000008
【図７】
2017124236.tif 000009
【図８】
2017124236.tif 000010
【図９】
2017124236.tif 000011
【図１０】
2017124236.tif 000012
【図１１】
2017124236.tif 000013
【図１２】
2017124236.tif 000014
【図１３】
2017124236.tif 000015
【図１４】
2017124236.tif 000016
【図１５】
2017124236.tif 000017
【図１６】
2017124236.tif 000018